(57)【特許請求の範囲】
【請求項１】
左右幅の割りに前後長さが長い機体ケース（１）内に葉・根付き玉ねぎ（Ｔ）から葉（Ｔｂ）を切除する葉切除ユニット（２）と根（Ｔｃ）を切除する根切除ユニット（３）とを前後に連続して設置してなる玉ねぎ類処理機（Ｚ）を、トラクタ（Ｘ）の車体後部に連結された機体載せ台（Ｙ）上に搭載して、圃場を上記トラクタ（Ｘ）で移動しながら上記玉ねぎ類処理機（Ｚ）で玉ねぎ（Ｔ）の葉（Ｔｂ）と根（Ｔｃ）を切除処理し得るようにし、
上記玉ねぎ類処理機（Ｚ）は、上記トラクタ（Ｘ）の進行方向とは直交する方向に長い姿勢で上記機体載せ台（Ｙ）上に搭載し、
上記機体ケース（１）の下部を、上記葉切除ユニット（２）で切除した玉ねぎ（Ｔ）の切除葉（Ｔｂ′）と上記根切除ユニット（３）で切除した玉ねぎ（Ｔ）の切除根（Ｔｃ′）とをそれぞれ下方に落下させ得る開放部とし、
上記機体載せ台（Ｙ）における上記葉切除ユニット（２）による葉切除位置と上記根切除ユニット（３）による根切除位置とがそれぞれ対応する部分を、上記切除葉（Ｔｂ′）と上記切除根（Ｔｃ′）をそれぞれ地上に落下させ得る開放部としている一方、
上記機体ケース（１）を前側ケース（１Ａ）と後側ケース（１Ｂ）に分割し、
上記玉ねぎ類処理機（Ｚ）として、上記前側ケース（１Ａ）内に上記葉切除ユニット（２）を組付けた葉切除用ブロック体（２Ａ）と上記後側ケース（１Ｂ）内に上記根切除ユニット（３）を組付けた根切除用ブロック体（３Ａ）とをヒンジ部（９）で連結して、上記葉切除用ブロック体（２Ａ）に対して上記根切除用ブロック体（３Ａ）を平面視において枢動開閉し得るようにしたものを採用し、
上記機体載せ台（Ｙ）には、上記葉切除用ブロック体（２Ａ）部分を載せる第１受フレーム（７２Ａ）と上記根切除用ブロック体（３Ａ）部分を載せる第２受フレーム（７２Ｂ）とを有し、
上記第２受フレーム（７２Ｂ）は、上記根切除用ブロック体（３Ａ）を載せ得る支持位置と該根切除用ブロック体（３Ａ）が水平面内で枢動するのに邪魔にならない退避位置との間で変位可能としているとともに、
上記玉ねぎ類処理機（Ｚ）を上記機体載せ台（Ｙ）上に載せた状態で、上記第２受フレーム（７２Ｂ）を上記退避位置に変位させることで、上記根切除用ブロック体（３Ａ）を上記葉切除用ブロック体（２Ａ）に対して枢動開閉し得るようにしている、
ことを特徴とする玉ねぎ類処理機搭載トラクタ。
【請求項２】
請求項１において、
上記機体載せ台（Ｙ）に上記玉ねぎ類処理機（Ｚ）を駆動する電力を起電する発電機（７５）を搭載しているとともに、
上記玉ねぎ類処理機（Ｚ）を上記機体載せ台（Ｙ）上に搭載したままで上記機体載せ台（Ｙ）をトラクタ（Ｘ）から分離し得るようにしている、
ことを特徴とする玉ねぎ類処理機搭載トラクタ。
【発明の詳細な説明】
【技術分野】
【０００１】
本願発明は、圃場から収穫した玉ねぎ類の葉と根を圃場において順次移動しながら切除し得るようにした玉ねぎ類処理機搭載トラクタに関するものである。尚、本願発明において処理の対象となる玉ねぎ類は、鱗茎菜類と称されるもので、玉ねぎ自体のほかにラッキョウ、ニンニク、ユリ根、球根等を含むものであるが、以下の説明では、これらの玉ねぎ類を単に玉ねぎと表現することがある。
【背景技術】
【０００２】
収穫した玉ねぎは、玉ねぎ本体部分の上部側に長い葉が連続している一方、玉ねぎ本体部分の下部側に根が付いている。そして、収穫した玉ねぎを出荷するには、玉ねぎ本体部分から葉及び根を切除する必要がある。
【０００３】
ところで、玉ねぎの葉及び根を切除する作業は、大半の農家では、１個ずつハサミによる手作業で行っているのが現状であるが、このように手作業による玉ねぎの葉・根切除作業は作業能率が非常に悪いとともにその切除作業を長時間継続することは非常に疲れる作業となる。
【０００４】
そこで、本件出願人は、玉ねぎ類の葉及び根を自動的（機械的）に切除するためのものとして、特開２０１５−１１６１７６号公報（特許文献１）に示されるものを既に特許出願している。尚、この特許文献１（特開２０１５−１１６１７６号公報）の発明の名称は、「玉ねぎ類の葉・根連続切除機」であるが、この「玉ねぎ類の葉・根連続切除機」も本願発明の内容に対応させて「玉ねぎ類処理機」と称する。
【０００５】
上記特許文献１の玉ねぎ類処理機は、概ね図５〜図６に示すものである。そして、この公知（図５〜図６）の玉ねぎ類処理機Ｚは、本願の玉ねぎ類処理機搭載トラクタにおいて採用する玉ねぎ類処理機の基本構成を備えた参考例であるが、本願で採用する玉ねぎ類処理機を理解し易くするために、まずこの公知の玉ねぎ類処理機Ｚの構成及び機能についてここで説明しておく。
【０００６】
図５〜図６に示す玉ねぎ類処理機Ｚは、収穫したままの葉・根付き玉ねぎＴの葉Ｔｂと根Ｔｃを順次連続して切除し得るものであって、前後にかなりの長さを有した機体ケース１内に、それぞれ後述する葉切除ユニット２と上下反転装置４と根切除ユニット３とを一列状態で配置して構成されている。尚、図５〜図６に例示する玉ねぎ類処理機Ｚは、玉ねぎ処理部を左右に一連だけ設けたものを採用しているが、玉ねぎ処理部を左右並設状態で二連設けたものもある。
【０００７】
この玉ねぎ類処理機Ｚは、玉ねぎの処理方向が前から後に移動していくものであって、機体ケース１として左右幅の割に前後長さが長い形状となっている。尚、本件出願人（株式会社ニシザワ）が製作しているこの種の玉ねぎ類処理機Ｚは、左右幅が７０〜８０cm程度（玉ねぎ処理部が一連のもの）、前後長さが１８０〜２００cm程度、高さが１００cm程度の大きさのものが多いが、この大きさは特に限定されるものではない。
【０００８】
機体ケース１の前部には、葉・根付き玉ねぎＴを投入するための投入シュート１１を設けている一方、機体ケース１の後部には、葉Ｔｂと根Ｔｃを切除した葉・根除去玉ねぎＴ２を排出するための排出シュート１２を設けている。
【０００９】
機体ケース１内には、投入シュート１１（投入部Ａ）から投入された葉・根付き玉ねぎＴの葉Ｔｂを玉ねぎ本体Ｔａ部分から切除するための葉切除ユニット２と、該葉切除ユニット２で葉Ｔｂを切除した葉除去・根付き玉ねぎＴ１の根Ｔｃを切除するための根切除ユニット３とを、葉切除ユニット２が前側で根切除ユニット３が後側に位置する状態で設けているとともに、該葉切除ユニット２と該根切除ユニット３との間に葉Ｔｂを切除した葉除去・根付き玉ねぎＴ１を上下反転させるための上下反転装置４を設けている。
【００１０】
上記葉切除ユニット２は、２本の移送ロール２２，２２を１組として葉・根付き玉ねぎＴの葉Ｔｂを下向きに垂下させた姿勢で後送させ得るようにした葉・根付き玉ねぎ移送装置２１と、該葉・根付き玉ねぎ移送装置２１の終端部の近傍位置において葉・根付き玉ねぎＴの葉Ｔｂの付け根部分を切断する葉切断装置２５とを備えている。
【００１１】
葉・根付き玉ねぎ移送装置２１の両移送ロール２２，２２は、その回転胴２２ａの外周面に移送用凸条２２ｂを螺旋状に巻付けたものである。そして、該両移送ロール２２，２２は、動力装置で各ロール上面側が相互に内側に向けて回転するように駆動される。尚、葉切除ユニット２の移送装置２１部分が葉・根付き玉ねぎＴの移送部Ｂとなる。
【００１２】
葉切断装置２５は、左右一対の円盤刃物２６，２６を葉・根付き玉ねぎ移送装置２１の終端部の近傍位置にセットしたものである。そして、この葉切断装置２５は、両円盤刃物２６，２６を動力装置によって回転させることによって、該両円盤刃物２６，２６の設置部分を通過する玉ねぎＴの葉Ｔｂをその付け根部分で切断するように機能する。葉切断装置２５で切断された玉ねぎの葉Ｔｂ′（図６）は、葉受シュート１５を通って機体ケース１の下方（地上）に落下する。尚、葉切断装置２５部分が葉切断部Ｃとなる。
【００１３】
葉切断装置２５で葉Ｔｂを切除した葉除去・根付き玉ねぎＴ１は、根Ｔｃが上向きのままであるので、該葉除去・根付き玉ねぎＴ１を次の根切除ユニット３の始端部上に受け渡す際には、上下反転装置４で根Ｔｃが下向きになるように上下反転させる。この上下反転装置４は、玉ねぎ進行方向に対して水平直交方向に向けて設置したバー材が使用されている。尚、上下反転装置４部分が反転部Ｄとなる。
【００１４】
根切除ユニット３は、上記葉切断装置２５の後側近傍位置に連続して設置されていて、２本の移送ロール３２，３２を１組として葉除去・根付き玉ねぎＴ１を後送させるための葉除去・根付き玉ねぎ移送装置３１と、該葉除去・根付き玉ねぎ移送装置３１の終端部近傍位置において葉除去・根付き玉ねぎＴ１の根Ｔｃの付け根部分を切断する根切断装置３５とを備えている。
【００１５】
根切除ユニット３の移送装置３１は、葉除去・根付き玉ねぎＴ１を根Ｔｃが下向きに垂下する状態で後送させるものである。尚、根切除ユニット３の移送装置３１部分が葉除去・根付き玉ねぎＴ１の移送部Ｅとなる。
【００１６】
根切断装置３５は、両円盤刃物３６，３６を動力装置によって回転させることによって、該両円盤刃物３６，３６の設置部分を通過する玉ねぎＴの根Ｔｃをその付け根部分で切断するように機能する。根切断装置３５部分が根切断部Ｆとなる。
【００１７】
そして、根切断装置３５で根Ｔｃを切断した葉・根除去玉ねぎＴ２は、排出シュート１２（排出部Ｇ）を通って機体ケース１外に排出される一方、根切断装置３５で切断された玉ねぎの根Ｔｃ′（図６）は、根受シュート１７を通って機体ケース１の下方（地上）に落下する。
【００１８】
機体ケース１は、前後左右（４本）のキャスター付き支持脚１０，１０・・で所定高さに支持されている。尚、この各支持脚１０，１０・・は、玉ねぎ類処理機Ｚの支持高さを調節できるようになっている。
【００１９】
図５〜図６に示す公知の玉ねぎ類処理機Ｚは、主として建物内の処理場（電源のある場所）に定置した状態で次のように使用される。尚、圃場では、大量の玉ねぎＴが育成されていて、収穫時期には同時期に大量に収穫されるが、その収穫した葉・根付き玉ねぎＴは、容器（かご）に収容して玉ねぎ類処理機Ｚの近傍まで運んでおく。
【００２０】
そして、各動力装置を作動させた状態で、機体ケース１の投入部１１から収穫したままの葉・根付き玉ねぎＴを投入すると、該玉ねぎＴが葉切除ユニット２の両移送ロール２２，２２間の上面側谷部において前後に向く横倒し姿勢で転動し、続いて玉ねぎＴの葉Ｔｂが両移送ロール２２，２２により下方に引き込まれて、該葉・根付き玉ねぎＴが葉Ｔｂを下向きに垂下させた姿勢で後送されるようになる。
【００２１】
次に、葉切除ユニット２の終端部において、下向きに垂下している玉ねぎの葉Ｔｂの付け根部分を葉切断装置２５で切断し（図６の符号Ｔｂ′）、その葉除去・根付き玉ねぎＴ１を上下反転装置４で上下反転（根Ｔｃが下向き）させ、該葉除去・根付き玉ねぎＴ１を根Ｔｃが下向き状態で根切除ユニット３の両移送ロール３２，３２間の始端部上に落下させる。
【００２２】
次に、根切除ユニット３の始端部上に落下した葉除去・根付き玉ねぎＴ１は、両移送ロール３２，３２で根Ｔｃを下方に引き下ろしながら後送され、該両移送ロール３２，３２の終端部から放出されるときに根切断装置３５で根Ｔｃを切断し（（図６の符号Ｔｃ′）、その葉・根除去玉ねぎＴ２（処理完了品）が排出部１２から機外に排出される。
【００２３】
このように、図５〜図６に示す公知の玉ねぎ類処理機では、機体ケース１の投入部１１から収穫したままの葉・根付き玉ねぎＴを順次投入するだけで、後は自動で排出部１２から葉・根除去玉ねぎＴ２を取り出すことができるようになっている。
【先行技術文献】
【特許文献】
【００２４】
【特許文献１】特開２０１５−１１６１７６号公報
【発明の概要】
【発明が解決しようとする課題】
【００２５】
ところで、図５〜図６に示す公知の玉ねぎ類処理機Ｚは、葉・根付き玉ねぎＴを投入部１１に投入するだけで後は自動で葉Ｔｂと根Ｔｃを切除できるので、玉ねぎの葉・根除去作業は非常に楽であるが、この玉ねぎ類処理機Ｚは、主として建物内の処理場（電源のある場所）にて使用されるものである。従って、圃場で収穫した葉・根付き玉ねぎＴは、容器（かご）に入れた状態で処理場まで運んでおく（何度も往復する）必要があるので、その玉ねぎ運搬作業が面倒であるという問題があった。
【００２６】
又、この玉ねぎ類処理機Ｚに作動部駆動用の電力を起電する発電機を使えば、圃場での葉・根除去作業を実施できるが、発電機を用いたものでも、この玉ねぎ類処理機Ｚを圃場で移動させながら使用することはできない（定位置でしか使用できない）。
【００２７】
そこで、本願発明は、上記図５〜図６に示す公知の玉ねぎ類処理機のみによる玉ねぎ処理作業（定位置での処理）の問題点に鑑み、圃場を自力で移動しながら（場所を変えながら）玉ねぎの葉と根の除去処理が行えるようにし、しかも全体構成を使い勝手のよい形態（前後がコンパクトな形態）にし得るようにするとともに、玉ねぎ類処理機をトラクタに搭載した状態でも該玉ねぎ類処理機のメンテナンスを容易に行えるようにした、玉ねぎ類処理機搭載トラクタを提供することを目的としている。
【課題を解決するための手段】
【００２８】
本願発明は、上記課題を解決するための手段として次の構成を有している。本願発明は、上記のように葉・根付き玉ねぎの葉と根を自動で切除し得る機能を有した玉ねぎ類処理機をトラクタに搭載して、圃場を移動しながら該圃場において収穫した玉ねぎの葉と根を順次切除処理をし得るようにした玉ねぎ類処理機搭載トラクタを対象にしている。そして、本願発明の玉ねぎ類処理機搭載トラクタでは、玉ねぎ類処理機として図９〜図１１に示すものを採用している。
【００２９】
［本願請求項１の発明］
本願請求項１の発明は、図９〜図１１に示す玉ねぎ類処理機Ｚを、図７〜図８に示すようにトラクタＸの車体後部に連結された機体載せ台Ｙ上に搭載して、圃場をトラクタＸで移動しながら玉ねぎ類処理機Ｚで玉ねぎの葉と根を切除処理し得るようにしたものである。尚、トラクタＸ及び該トラクタＸの車体後部に連結された機体載せ台Ｙの基本構成については、図１〜図４の参考例を併用して説明する。
【００３０】
トラクタＸ（図１〜図４、図７〜図８参照）としては、左右の車輪間隔が玉ねぎ植生用の畝幅を跨げる程度の比較的小型のものでよい（トラクタＸの大きさとして、例えば左右幅が１５０cm程度で前後長さが３００cm程度のものでよい）。
【００３１】
図９〜図１１に例示する玉ねぎ類処理機Ｚは、左右幅の割りに前後長さが長い機体ケース１内に収穫した葉・根付き玉ねぎから葉を切除する葉切除ユニット２と根を切除する根切除ユニット３とを前後に連続して設置したものである。この玉ねぎ類処理機Ｚの大きさとしては、特に限定するものではないが、左右幅が６０〜８０cm程度、前後長さが１８０〜２００cm程度、高さが１００cm程度、のものを使用できる。
【００３２】
上記機体載せ台Ｙは、図１〜図４（参考例）及び図７〜図８に示すように、玉ねぎ類処理機Ｚを載せ得る面積を有したもので、トラクタＸの車体後部に連結装置６を介して連結されている。この機体載せ台Ｙの形状及び大きさは、玉ねぎ類処理機Ｚを安定姿勢で載せ得るものであればよい。
【００３３】
そして、この請求項１の玉ねぎ類処理機搭載トラクタは、上記玉ねぎ類処理機ＺをトラクタＸの進行方向とは直交する方向に長い姿勢で上記機体載せ台Ｙ上に搭載している。尚、作業時には、玉ねぎ類処理機Ｚを機体載せ台Ｙ上に載せた状態で、該玉ねぎ類処理機Ｚを機体載せ台Ｙに適宜の方法（例えば複数箇所をボルト止めによる結着部Ｒ）で固定しておくとよい。
【００３４】
このように、玉ねぎ類処理機ＺをトラクタＸの進行方向とは直交する方向に長い姿勢で機体載せ台Ｙ上に搭載していると、該玉ねぎ類処理機Ｚの後方への出幅を小さくできるので、玉ねぎ類処理機搭載トラクタ全体の前後長さを短くできる（前後長さが４ｍ程度に収まる）。尚、この玉ねぎ類処理機搭載トラクタでは、玉ねぎ類処理機Ｚの長い側（玉ねぎ処理方向）が左右方向に向いているので、玉ねぎ類処理機搭載トラクタ全体の最大左右幅が玉ねぎ類処理機Ｚの前後全長（実施例では２ｍ程度）になるが、この程度の左右幅（２ｍ程度）では、圃場での走行や旋回に支障が生じない。
【００３５】
又、この請求項１の玉ねぎ類処理機搭載トラクタでは、上記機体ケース１の下部を葉切除ユニット２で切除した玉ねぎＴの切除葉Ｔｂ′と根切除ユニット３で切除した切除根Ｔｃ′とをそれぞれ下方に落下させ得る開放部としているとともに、機体載せ台Ｙにおける葉切除ユニット２による葉切除位置と根切除ユニット３による根切除位置とがそれぞれ対応する部分を、上記切除葉Ｔｂ′と上記切除根Ｔｃ′をそれぞれ地上に落下させ得る開放部としている。尚、上記切除葉Ｔｂ′及び上記切除根Ｔｃ′については、それぞれ図１０に記載している。
【００３６】
又、この請求項１の玉ねぎ処理機搭載トラクタで採用される玉ねぎ類処理機Ｚは、図９〜図１１に示すように、機体ケース１を前側ケース１Ａと後側ケース１Ｂに分割し、前側ケース１Ａ内に葉切除ユニット２を組付けた葉切除用ブロック体２Ａと後側ケース１Ｂ内に根切除ユニット３を組付けた根切除用ブロック体３Ａとをヒンジ結合して、葉切除用ブロック体２Ａに対して根切除用ブロック体３Ａを平面視において枢動開閉し得るようにしたものを採用している。
【００３７】
他方、機体載せ台Ｙには、上記葉切除用ブロック体２Ａ部分を載せる第１受フレーム７２Ａと上記根切除用ブロック体３Ａ部分を載せる第２受フレーム７２Ｂとを有している。又、第２受フレーム７２Ｂは、根切除用ブロック体３Ａを載せ得る支持位置と該根切除用ブロック体３Ａが水平面内で枢動するのに邪魔にならない退避位置（取外しを含む）との間で変位可能としている。
【００３８】
そして、この請求項１の玉ねぎ類処理機搭載トラクタでは、玉ねぎ類処理機Ｚを機体載せ台Ｙ上に載せた状態で、上記第２受フレーム７２Ｂを上記退避位置に変位させることで、根切除用ブロック体３Ａを葉切除用ブロック体２Ａに対して枢動開閉し得るようにしている。
【００３９】
本願請求項１の玉ねぎ類処理機搭載トラクタは、次のように使用される。
【００４０】
即ち、この玉ねぎ類処理機搭載トラクタは、トラクタＸの車体後部に連結された機体載せ台Ｙ上に玉ねぎ類処理機Ｚを搭載した状態で、トラクタＸの左右車輪が圃場の畝を跨ぐようにして圃場に設置される。そして、玉ねぎ類処理機Ｚを作動させた状態で、畝部分にある葉・根付き玉ねぎＴを拾い集めて順次玉ねぎ類処理機Ｚの投入部Ａに投入することで、葉切除ユニット２部分で玉ねぎＴの葉Ｔｂを切断した後、根切除ユニット３部分で玉ねぎＴ１の根Ｔｃを切断して、葉と根を除去した玉ねぎＴ２（処理済み玉ねぎ）が排出部Ｇから機体ケース１外に排出される。
【００４１】
そして、玉ねぎ類処理機搭載トラクタ近辺の畝上にある玉ねぎＴを収穫・処理すると、玉ねぎ類処理機搭載トラクタを所定小距離前進させて、次の場所での玉ねぎの収穫（拾い集め）・処理作業（葉・根除去）を行い、順次同様に玉ねぎ類処理機搭載トラクタの移動と玉ねぎの収穫・処理作業とを繰り返すことで、圃場の広範囲に亘って玉ねぎの収穫・処理作業が行える。
【００４２】
このように、本願の玉ねぎ類処理機搭載トラクタを使用すると、圃場を移動できることにより、圃場の玉ねぎの収穫（拾い集め）と処理作業（葉・根除去）とを連続（並行）して行うことができる。
【００４３】
又、この請求項１の玉ねぎ類処理機搭載トラクタでは、圃場において玉ねぎ類処理機Ｚの葉切断部と根切断部でそれぞれ切断された切除葉Ｔｂ′及び切除根Ｔｃ′（図１０参照）は、玉ねぎ類処理機Ｚ又は機体載せ台Ｙに留まる（引っ掛かる）ことなく確実に圃場に落下させることができるが、圃場は上記切除葉Ｔｂ′及び切除根Ｔｃ′がそのまま放置されても何ら支障がない場所である。
【００４４】
ところで、この請求項１の玉ねぎ類処理機搭載トラクタでは、図９〜図１１に示す玉ねぎ類処理機Ｚを使用するものであるが、この図９〜図１１に示す玉ねぎ類処理機Ｚは、前側の葉切除用ブロック体２Ａに対して後側の根切除用ブロック体３Ａを枢動開放させることで、図１１に示すように葉切除用ブロック体２Ａの後面２Ａａと根切除用ブロック体３Ａの前面３Ａａとの間にメンテナンス用の大きな作業空間ができるようにしたものである。
【００４５】
そして、この請求項１では、図８に示すように、機体載せ台Ｙ上に上記玉ねぎ類処理機Ｚを搭載した状態で（この場合、機体載せ台ＹはトラクタＸに連結したままでよい）、機体載せ台Ｙの第２受フレーム７２Ｂを上記退避位置に変位させると（図示例の場合は第２受フレーム７２Ｂとバンパー材７７を取外す）、玉ねぎ類処理機Ｚを機体載せ台Ｙ上に載せたままで、後側の根切除用ブロック体３Ａを前側の葉切除用ブロック体２Ａに対して枢動開放させることができる。
【００４６】
従って、この請求項１のものでは、玉ねぎ処理機搭載トラクタの使用形態、即ちトラクタＸに機体載せ台Ｙを連結し且つ機体載せ台Ｙ上に玉ねぎ類処理機Ｚを搭載した状態のままで、葉切除用ブロック体２Ａの後面２Ａａと根切除用ブロック体３Ａの前面３Ａａとの間にメンテナンス用の大きな作業空間を形成することができる。
【００４７】
［本願請求項２の発明］
本願請求項２の発明は、上記請求項１の玉ねぎ類処理機搭載トラクタにおいて、機体載せ台Ｙに玉ねぎ類処理機Ｚを駆動する電力を起電する発電機７５を搭載しているとともに、玉ねぎ類処理機Ｚを機体載せ台Ｙ上に搭載したままで機体載せ台ＹをトラクタＸから分離し得るようにしていることを特徴としている。
【００４８】
この請求項２の玉ねぎ類処理機搭載トラクタでは、玉ねぎ類処理機Ｚを機体載せ台Ｙと共にトラクタＸから分離させても、発電機７５が機体載せ台Ｙ上に搭載されているので、該玉ねぎ類処理機Ｚを任意の定位置（例えば建物内や圃場の片隅等）に設置した状態で使用できる。尚、玉ねぎ類処理機Ｚを機体載せ台Ｙと共にトラクタＸから分離させたときには、玉ねぎ類処理機Ｚに備え付けのキャスター付き支持脚１０（４本ある）で該玉ねぎ類処理機Ｚを支持させる。
【発明の効果】
【００４９】
［本願請求項１の発明の効果］
本願請求項１の玉ねぎ類処理機搭載トラクタは、玉ねぎ類処理機ＺをトラクタＸの車体後部に連結された機体載せ台Ｙ上に搭載して、圃場をトラクタＸで移動しながら玉ねぎ類処理機Ｚで玉ねぎの葉と根を切除処理し得るようにしている。
【００５０】
このように、本願請求項１の玉ねぎ類処理機搭載トラクタでは、圃場においてトラクタＸで玉ねぎ類処理機Ｚを移動させながら（場所を変えながら）それぞれの位置において玉ねぎＴの葉Ｔｂと根Ｔｃの除去処理が行えるので、従来のように圃場から収穫した大量の葉・根付き玉ねぎＴを玉ねぎ類処理機Ｚの設置位置（例えば建物内の処理場）まで運ぶ必要がなくなり、葉・根付き玉ねぎＴを玉ねぎ類処理機Ｚで処理するまでの玉ねぎ運搬作業が不要となる（玉ねぎの処理効率が向上する）という効果がある。
【００５１】
又、この請求項１の玉ねぎ類処理機搭載トラクタでは、玉ねぎ類処理機ＺをトラクタＸの進行方向とは直交する方向に長い姿勢で機体載せ台Ｙ上に搭載しているので、該玉ねぎ類処理機Ｚの後方への出幅が小さくなり、玉ねぎ類処理機搭載トラクタ全体の前後長さを短くできる。そして、このように玉ねぎ類処理機搭載トラクタ全体の前後長さを短くできると、圃場での走行や旋回動作がし易くなるという効果がある。
【００５２】
尚、この玉ねぎ類処理機搭載トラクタでは、玉ねぎ類処理機Ｚの長い側（玉ねぎ処理方向）が左右方向に向いているので、玉ねぎ類処理機搭載トラクタ全体の最大左右幅が玉ねぎ類処理機Ｚの前後全長（実施例では２ｍ程度）になるが、この程度の左右幅（２ｍ程度）では、圃場での走行や旋回動作に支障が生じない。
【００５３】
さらに、この請求項１の発明では、玉ねぎ類処理機Ｚ及び機体載せ台Ｙとして、玉ねぎ類処理機Ｚの葉切除ユニット２で切除した切除葉Ｔｂ′と根切除ユニット３で切除した切除根Ｔｃ′とをそれぞれそのまま地上（圃場面）に落下させ得るようにしているので、切除葉や切除根の後処理（掃除）が不要になる（そのまま圃場に放置してよい）という効果がある。
【００５４】
又、この請求項１の発明では、玉ねぎ類処理機Ｚとして前側の葉切除用ブロック体２Ａに対して後側の根切除用ブロック体３Ａを枢動開閉させ得るものを採用しているので、葉切除用ブロック体２Ａに対して根切除用ブロック体３Ａを枢動開放させることで、玉ねぎ類処理機Ｚの中間位置にメンテナンス用の作業空間を設けることができる。
【００５５】
従って、この請求項１の玉ねぎ処理機搭載トラクタでは、上記作業空間からメンテナンス作業（例えば機体ケース内の機材の調整・交換や掃除等）が行えるので、該メンテナンス作業が容易となるという効果がある。
【００５６】
又、この請求項１のものでは、該玉ねぎ処理機搭載トラクタの使用形態のままで（玉ねぎ類処理機Ｚを機体載せ台Ｙ上に載せたままで）、前側の葉切除用ブロック体２Ａに対して後側の根切除用ブロック体３Ａを枢動開放させることができるので、玉ねぎ類処理機Ｚのメンテナンス時の準備作業（玉ねぎ類処理機Ｚの機体載せ台Ｙからの積み降ろしや機体載せ台Ｙ上への搭載作業）が不要となるという効果がある。
【００５７】
［本願請求項２の発明の効果］
本願請求項２の発明は、上記請求項１の玉ねぎ類処理機搭載トラクタにおいて、機体載せ台Ｙに玉ねぎ類処理機Ｚを駆動する電力を起電する発電機７５を搭載しているとともに、玉ねぎ類処理機Ｚを機体載せ台Ｙ上に搭載したままで機体載せ台ＹをトラクタＸから分離し得るようにしている。
【００５８】
従って、この請求項２の玉ねぎ類処理機搭載トラクタでは、玉ねぎ類処理機Ｚを機体載せ台Ｙと共にトラクタＸから分離させても、発電機７５による玉ねぎ類処理機Ｚの駆動が行えるので、上記請求項１の効果に加えて、トラクタＸから分離させた玉ねぎ類処理機Ｚ及び機体載せ台Ｙのみでも所望の場所（建物内の処理場や圃場の片隅等）で使用できるという効果がある。
【図面の簡単な説明】
【００５９】
【図１】玉ねぎ類処理機として図５及び図６（公知）のものを採用した参考例の玉ねぎ類処理機搭載トラクタの側面図である。
【図２】図１（参考例）の玉ねぎ類処理機搭載トラクタの平面図である。
【図３】図１（参考例）の玉ねぎ類処理機搭載トラクタの後面（右側面）拡大図である。
【図４】図１（参考例）の玉ねぎ類処理機搭載トラクタの変化図で、トラクタによる移動姿勢を示す側面図である。
【図５】図１〜図４の玉ねぎ処理機搭載トラクタに使用している参考例の玉ねぎ類処理機の平面図である。
【図６】図５（参考例）のVI−VI矢視図である。
【図７】玉ねぎ類処理機として図９〜図１１のものを採用した本願実施例の玉ねぎ類処理機搭載トラクタの平面図（図２相当図）である。
【図８】図７の状態変化図で、玉ねぎ類処理機の前部と後部を機体載せ台上で開放した状態の一部平面図である。
【図９】図７及び図８の本願実施例の玉ねぎ処理機搭載トラクタに使用している玉ねぎ類処理機の平面図である。
【図１０】図９のＸ−Ｘ矢視図である。
【図１１】図９の玉ねぎ類処理機において、葉切除用ブロック体に対して根切除用ブロック体を平面視で角度９０°枢動開放させた状態の一部拡大平面図である。
【発明を実施するための形態】
【００６０】
図７〜図１１には、本願実施例の玉ねぎ類処理機搭載トラクタを示している。尚、図１〜図４は図５及び図６に示す公知の玉ねぎ類処理機を搭載したものであるが、この図１〜図４に示すトラクタＸ部分及び機体載せ台Ｙ部分の各基本構成は、図７〜図１１に示す本願実施例にも適用されるものであるので、図１〜図４も本願実施例の説明に併用する。
【００６１】
図１〜図４に示す参考例の玉ねぎ類処理機搭載トラクタでは、玉ねぎ類処理機Ｚとして図５〜図６に示す公知（特許文献１）のものを採用している。
【００６２】
そして、この参考例の玉ねぎ類処理機搭載トラクタは、図１〜図４に示すように、トラクタＸの車体後部に連結された機体載せ台Ｙ上に図５〜図６に示す公知の玉ねぎ類処理機Ｚを搭載して、圃場をトラクタＸで移動しながら玉ねぎ類処理機Ｚで玉ねぎの葉と根を切除処理し得るようにしたものである。
【００６３】
尚、図１〜図４においては、トラクタＸと機体載せ台Ｙとを実線で記載している一方、玉ねぎ類処理機Ｚ部分は機体載せ台Ｙに対して識別し易くするために２点鎖線で記載している。又、図１〜図４に２点鎖線で記載している玉ねぎ類処理機Ｚは、図５〜図６に記載している玉ねぎ類処理機Ｚを簡略図示したものであるが、図１〜図４の玉ねぎ類処理機Ｚと図５〜図６の玉ねぎ類処理機Ｚとは、基本的に同じ機能をするものであって、相互に同じものとして扱っている。
【００６４】
図１〜図４に示す玉ねぎ類処理機搭載トラクタは、トラクタＸの車体後部に連結装置６を介して機体載せ台Ｙを連結している一方、該機体載せ台Ｙ上に玉ねぎ類処理機Ｚ（図５〜図６に記載のもの）を搭載して構成されたものである。尚、以下に示す各寸法は、各部材の大きさ又は長さを理解し易くするために例示したものであるが、これらの数値は特に限定されるものではなく、許容される範囲で変更可能なものである。
【００６５】
トラクタＸとしては、左右の車輪５０，５０（図２参照）の内面間隔が玉ねぎ植生用の畝Ｍの幅Ｗ（図３）を跨げる程度の比較的小型のものでよい。即ち、玉ねぎ植生用の畝幅Ｗ（図３）が例えば７０〜８０cm程度であるとすると、トラクタＸの大きさとしては、左右幅が１５０cm程度で前後長さが３００cm程度のものでよい。尚、このトラクタＸは、エンジンを動力源として走行する。
【００６６】
機体載せ台Ｙは、トラクタＸ側に位置するベースフレーム７１と、該ベースフレーム７１から後方に延出する各受フレーム（第１受フレーム７２Ａと第２受フレーム７２Ｂと中間受フレーム７２Ｃ）とを有している。
【００６７】
ベースフレーム７１は、図１及び図３に示すように、角パイプ材を上下２段に組付けたもので、全体として左右方向にかなりの長さ（例えば２００cm程度）を有している。
【００６８】
第１受フレーム７２Ａ及び第２受フレーム７２Ｂは、それぞれ角パイプ製で左右に所定間隔（例えば１３０〜１４０cm程度の間隔）をもたせた状態で、ベースフレーム７１の後方に向けて所定長さ（例えば８０〜１００cm程度）だけ延出させたものである。この参考例で使用されている機体載せ台Ｙでは、第１受フレーム７２Ａ及び第２受フレーム７２Ｂは、それぞれ基端部がベースフレーム７１に強固に固定（溶接又はボルト止め）されている。尚、第１受フレーム７２Ａの先端と第２受フレーム７２Ｂの先端とはバンパー材７７で連結されている。
【００６９】
他方、中間受フレーム７２Ｃは、短小長さ（例えば１５〜２０cm程度）のものが採用されている。尚、この中間受フレーム７２Ｃは、玉ねぎ類処理機Ｚ（機体ケース１）の前後中間付近の側縁部下面を支持するものであるが、この中間受フレーム７２Ｃは省略してもよい。
【００７０】
機体載せ台Ｙは、連結装置６を介してトラクタＸの車体後部に連結されているが、この連結装置６には、左右２本のロアリンク６１，６１と１本のトップリンク６２からなる３点リンクが使用されている。そして、この３点リンク（６１，６１，６２）は、トラクタＸの後部フレーム５１と機体載せ台Ｙのベースフレーム７１との間に介在されていて、機体載せ台ＹをトラクタＸで牽引し得るようにしている。尚、この３点リンク（６１，６１，６２）は、機体載せ台Ｙのベースフレーム７１に対して離脱自在に連結されている。
【００７１】
図１〜図４に示す参考例の玉ねぎ類処理機搭載トラクタでは、玉ねぎ類処理機Ｚとして図５〜図６に示す公知のものを採用しているが、この図５〜図６の玉ねぎ類処理機Ｚの構成及び機能については、上記「背景技術」の項で説明しているので、その説明を援用する。
【００７２】
尚、図５〜図６の玉ねぎ類処理機Ｚは、左右幅の割りに前後長さが長い機体ケース１内に処理すべき葉・根付き玉ねぎＴから葉Ｔｂを切除する葉切除ユニット２と根Ｔｃを切除する根切除ユニット３とを前後に連続して設置したものである。そして、この玉ねぎ類処理機Ｚの大きさは、左右幅が６０〜８０cm程度、前後長さが１８０〜２００cm程度、高さが１００cm程度のものが多用される。
【００７３】
図５〜図６の玉ねぎ類処理機Ｚは、図１〜図４に示すように、トラクタＸに連結された機体載せ台Ｙ上にトラクタＸの進行方向とは直交する方向に長い姿勢で搭載して玉ねぎ類処理機搭載トラクタを構成している。即ち、この玉ねぎ類処理機Ｚを機体載せ台Ｙにおける左右２本の受けフレーム（第１受フレーム７２Ａと第２受フレーム７２Ｂ）と中間受けフレーム７２Ｃの上に載せた状態で、玉ねぎ類処理機Ｚの複数箇所（４本の支持脚１０，１０・・部分）をベースフレーム７１又は受けフレーム７２Ａ，７２Ｂに対してボルト止めにて固定（図２の各締結部Ｒ）していることにより、トラクタＸと機体載せ台Ｙと玉ねぎ類処理機Ｚとを一体化させた玉ねぎ類処理機搭載トラクタを構成している。
【００７４】
尚、玉ねぎ類処理機Ｚを機体載せ台Ｙ上に搭載した状態で玉ねぎ類処理機Ｚの各支持脚１０，１０・・が接地する場合には、図１に示すように該各支持脚１０，１０・・の突出長さを短くして、支持脚下端（キャスター）を地面（圃場面）から離間させておくとよい。
【００７５】
上記のように、玉ねぎ類処理機ＺをトラクタＸの進行方向とは直交する方向に長い姿勢で機体載せ台Ｙ上に搭載していると、図１及び図２に示すように、玉ねぎ類処理機Ｚの後方への出幅を小さくできるので、玉ねぎ類処理機搭載トラクタ全体の前後長さを短くできる（前後長さが４ｍ程度となる）。尚、この玉ねぎ類処理機搭載トラクタでは、玉ねぎ類処理機Ｚの長い側（玉ねぎ処理方向）が左右方向に向いているので、玉ねぎ類処理機搭載トラクタ全体の最大左右幅が玉ねぎ類処理機Ｚの前後全長（実施例では２ｍ程度）になるが、この程度の左右幅（２ｍ程度）では、圃場での走行や旋回に支障が生じない。
【００７６】
又、図１〜図４の参考例の玉ねぎ処理機搭載トラクタでは、図６に示すように、玉ねぎ類処理機Ｚにおける機体ケース１の下部を葉切除ユニット２で切除した玉ねぎＴの切除葉Ｔｂ′と根切除ユニット３で切除した切除根Ｔｃ′とをそれぞれ下方に落下させ得る開放部としているとともに、図３に示すように機体載せ台Ｙにおける玉ねぎ類処理機Ｚの葉切除ユニット２による葉切除位置（葉切除部Ｃ）と根切除ユニット３による根切除位置（根切除部Ｆ）とがそれぞれ対応する部分を、上記切除葉Ｔｂ′と上記切除根Ｔｃ′をそれぞれ地上に落下させ得る開放部としている。
【００７７】
このようにすると、圃場において玉ねぎ類処理機Ｚの葉切断部Ｃと根切断部Ｆでそれぞれ切断された切除葉Ｔｂ′及び切除根Ｔｃ′（図６、図３参照）は、玉ねぎ類処理機Ｚ又は機体載せ台Ｙに留まる（引っ掛かる）ことなく確実に圃場に落下させることができる。尚、圃場は上記切除葉Ｔｂ′及び切除根Ｔｃ′がそのまま放置されても何ら支障がない場所である。
【００７８】
他方、図１〜図４に示す参考例の玉ねぎ類処理機搭載トラクタには、上記の基本構成に加えて、以下の各構成を付加している。
【００７９】
第１の付加構成として、機体載せ台Ｙの下部に玉ねぎ類処理機Ｚが水平姿勢となる姿勢で地面に接地する接地部材７３を設けているとともに、機体載せ台Ｙを、接地部材７３が地面に接地する下動位置から接地部材７３が地面から離間する上動位置まで上動させる上動装置６０を有している。尚、玉ねぎ類処理機Ｚが水平姿勢となる姿勢は、該玉ねぎ類処理機Ｚの正常使用姿勢となるものである。
【００８０】
この参考例では、上記接地部材７３として、機体載せ台Ｙのベースフレーム７１から下方に所定長さだけ離間した位置に左右２つの車輪７３，７３を取付けたものを採用している。この各車輪７３，７３は、図３に示すように、圃場の畝Ｍを跨いで左右の畝溝Ｎ，Ｎに接地した状態で、トラクタ進行方向に転動し得るようになっている。
【００８１】
そして、図１及び図３に示すように、各車輪７３，７３が畝Ｍを跨いで左右の畝溝Ｎ，Ｎに接地した状態では、機体載せ台Ｙ上に搭載している玉ねぎ類処理機Ｚが自動的に水平姿勢（使用姿勢）に維持される。従って、接地部材となる各車輪７３，７３は、玉ねぎ類処理機Ｚを水平姿勢（使用姿勢）に位置させるためのゲージとして機能する。尚、玉ねぎ類処理機Ｚが水平姿勢に維持された状態では、該玉ねぎ類処理機Ｚによる玉ねぎの葉・根処理作業が正常に行える。
【００８２】
他方、この参考例では、上記上動装置６０として、油圧シリンダを使用している。そして、この上動装置（油圧シリンダ）６０は、接地部材（車輪）７３が接地する下動位置から機体載せ台Ｙを上動方向に作動させ得るようにしたものである。尚、機体載せ台Ｙを上動位置から下動させるには、上動装置（油圧シリンダ）６０による支持を解除（油圧バルブを開放）するだけで、機体載せ台Ｙ及び玉ねぎ類処理機Ｚの自重で下動するようになる。
【００８３】
そして、上動装置６０により、図４に示すように機体載せ台Ｙを車輪（接地部材）７３，７３が地面から離間するまで上動させると、トラクタＸの前後車輪以外に地面に接地するものがないので、玉ねぎ類処理機搭載トラクタを自由に移動（旋回を含む）させることができる。
【００８４】
第２の付加構成として、機体載せ台Ｙに玉ねぎ類処理機Ｚを駆動する電力を起電する発電機７５を搭載しているとともに、玉ねぎ類処理機Ｚを機体載せ台Ｙ上に搭載したままで機体載せ台ＹをトラクタＸから分離し得るようにしている。
【００８５】
上記発電機７５は、機体載せ台Ｙのベースフレーム７１における前部側の左端部に取付けた発電機載せ台７４上に搭載されている。尚、発電機載せ台７４の取付場所は、ベースフレーム７１における玉ねぎ類処理機Ｚの取付け側（後側）とは反対側（前側）の位置であって、機体載せ台Ｙの近辺における余剰スペースとなる部位である。
【００８６】
機体載せ台Ｙは、連結装置６の各ロアリンク６１，６１及びトップリンク６２に対して着脱自在に連結（連結ピンで結合）されていて、各連結ピンを抜き外すことで機体載せ台Ｙ上に玉ねぎ類処理機Ｚを搭載したまま該機体載せ台ＹをトラクタＸから分離させ得るようにしている。
【００８７】
そして、この第２の付加構成を採用したものでは、玉ねぎ類処理機Ｚを機体載せ台Ｙと共にトラクタＸから分離させても、発電機７５が機体載せ台Ｙ上に搭載されているので、機体載せ台Ｙと共に玉ねぎ類処理機Ｚを任意の定位置（例えば建物内や圃場の片隅等）に設置した状態で使用できる。尚、玉ねぎ類処理機Ｚを機体載せ台Ｙと共にトラクタＸから分離させたときには、玉ねぎ類処理機Ｚに備え付けの支持脚１０（４本ある）で該玉ねぎ類処理機Ｚを支持させる。
【００８８】
第３の付加構成として、図２及び図３に示すように、機体載せ台Ｙ上に搭載される玉ねぎ類処理機Ｚの投入部Ａ及び排出部Ｇのそれぞれ外側に、玉ねぎ収容用の容器（かご）Ｋを載置するための容器載せ台１３，１４を取付けている。この各容器載せ台１３，１４の取付状態では、該各容器載せ台１３，１４が玉ねぎ類処理機Ｚの長手方向両端部からそれぞれ外方に（図２の左右に）はみ出していて、玉ねぎ類処理機Ｚ部分の全体長さが長くなっている。
【００８９】
そこで、この参考例では、図３に示すように、投入部Ａ及び排出部Ｇにある各容器載せ台１３，１４を、それらの各上端部（各枢支部１３ａ，１４ａ）を中心にして符号１３′及び１４′で示すように上方に回動（格納）させ得るようにしている。そして、各容器載せ台１３，１４の不使用時には、符号１３′及び１４′で示すようにそれぞれ上方に回動（格納）させておくことにより、玉ねぎ類処理機Ｚの長さ方向をコンパクトにできるようにしている。
【００９０】
第４の付加構成として、機体載せ台Ｙのベースフレーム７１には、発電機載せ台７４とは反対側の右端部に玉ねぎ容器（かご）Ｋをストックしておくための容器載せ台７６（図２参照）を設けている。
【００９１】
尚、図１〜図４の参考例におけるトラクタＸ部分と機体載せ台Ｙ部分の上記第１〜第４の各付加構成は、そのまま図７及び図８に示す本願実施例の玉ねぎ類処理機搭載トラクタに適用できるものである。
【００９２】
上記した参考例（本願実施例のものも同様）の玉ねぎ類処理機搭載トラクタを使用するには、図１〜図３に示すように、トラクタＸの車体後部に連結された機体載せ台Ｙ上に玉ねぎ類処理機Ｚを搭載した状態で、トラクタＸの左右車輪５０，５０が圃場の畝Ｍを跨ぐようにして圃場に設置される。このとき、接地部材となる両車輪７３，７３も畝Ｍを跨いだ両畝溝Ｎ，Ｎに接地させると、玉ねぎ類処理機Ｚが自動的に水平姿勢（使用姿勢）に維持される。
【００９３】
この状態で、発電機７５による電力で玉ねぎ類処理機Ｚを作動させ、畝Ｍ部分にある葉・根付き玉ねぎＴを拾い集めて順次玉ねぎ類処理機Ｚの投入部Ａに投入することで、葉切断部Ｃで玉ねぎＴの葉Ｔｂを切断した後、根切断部Ｆで玉ねぎＴ１の根Ｔｃを切断して、葉と根を除去した玉ねぎＴ２（処理済み玉ねぎ）が排出部Ｇから機体ケース外に排出される。
【００９４】
そして、玉ねぎ類処理機搭載トラクタ近辺の畝Ｍ上にある玉ねぎＴを収穫・処理すると、玉ねぎ類処理機搭載トラクタを所定小距離前進させて、次の場所での玉ねぎの収穫（拾い集め）・処理作業（葉・根除去）を行い、順次同様に玉ねぎ類処理機搭載トラクタの移動と玉ねぎの収穫・処理作業とを繰り返すことで、圃場の広範囲に亘って玉ねぎの収穫・処理作業が行える。
【００９５】
このように、上記参考例（本願実施例のものも同様）の玉ねぎ類処理機搭載トラクタを使用すると、圃場を移動できることにより、圃場の玉ねぎの収穫（拾い集め）と処理作業（葉・根除去）とを連続（並行）して行うことができる。
【００９６】
又、上記参考例（本願実施例のものも同様）の玉ねぎ類処理機搭載トラクタでは、それぞれ次の機能を有している。
【００９７】
まず、玉ねぎ類処理機ＺをトラクタＸの進行方向とは直交する方向に長い姿勢で機体載せ台Ｙ上に搭載しているので、該玉ねぎ類処理機Ｚの後方への出幅が小さくなり、玉ねぎ類処理機搭載トラクタ全体の前後長さを短くできる。そして、このように玉ねぎ類処理機搭載トラクタ全体の前後長さを短くできると、圃場での走行や旋回動作がし易くなる。
【００９８】
又、上記参考例（本願実施例のものも同様）の玉ねぎ類処理機搭載トラクタを圃場で使用すると、玉ねぎ類処理機Ｚの葉切断部Ｃと根切断部Ｇでそれぞれ切断された切除葉Ｔｂ′及び切除根Ｔｃ′をそのまま確実に圃場（掃除の不要な場所）に落下させることができるので、切断された上記切除葉Ｔｂ′及び切除根Ｔｃ′の後処理（掃除）が不要になる（そのまま放置してよい）。
【００９９】
さらに、機体載せ台Ｙを接地部材（車輪）７３が接地するまで下動させると、玉ねぎ類処理機Ｚが自動的に水平姿勢（使用姿勢）に維持されるので、該接地部材７３を玉ねぎ類処理機Ｚの位置決め用のゲージとして機能させることができる。
【０１００】
他方、上動装置６０により機体載せ台Ｙを接地部材７３が地面から離間するまで上動させると、トラクタＸの車輪以外に地面に接地するものがないので、玉ねぎ類処理機搭載トラクタを自由に移動（旋回を含む）させることができる。
【０１０１】
又、玉ねぎ類処理機Ｚを機体載せ台Ｙと共にトラクタＸから分離させても、機体載せ台Ｙ側に搭載した発電機７５による電力で玉ねぎ類処理機Ｚを駆動させることができるので、トラクタＸから分離させた玉ねぎ類処理機Ｚ及び機体載せ台Ｙのみでも所望の場所（建物内の処理場や圃場の片隅等）で使用できる。
【０１０２】
図７〜図８には、図９〜図１１の玉ねぎ類処理機Ｚを機体載せ台Ｙ上に搭載した本願実施例の玉ねぎ類処理機搭載トラクタを示している。尚、この本願実施例で使用される図９〜図１１の玉ねぎ類処理機Ｚは、本件出願人が特願２０１４−２０５４８８号で特許出願（未公開）しているものである。
【０１０３】
図９〜図１１の本願実施例で使用される玉ねぎ類処理機Ｚも、図５〜図６（参考例で使用）の玉ねぎ類処理機Ｚと同様に、左右幅の割りに前後長さが長い形状となっている。尚、図９〜図１１の玉ねぎ類処理機Ｚ（本願実施例で使用）において、図５〜図６（参考例で使用）に付した符号と同符号のものは、該図５〜図６の該当部分と同じ機能をするものであるので、本願実施例における参考例と同符号の部分の説明は、参考例の説明を援用する。
【０１０４】
この本願実施例で使用する図９〜図１１の玉ねぎ類処理機Ｚでも、投入部Ａから葉・根付き玉ねぎＴを投入すると、移送部Ｂにより葉Ｔｂが下向きとなる姿勢で玉ねぎＴを後送し、葉切断部Ｃで葉Ｔｂを切断し、反転部Ｄで根Ｔｃが下向きとなるように玉ねぎＴ１を上下反転させ、移送部Ｅにより根Ｔｃが下向きとなる姿勢で玉ねぎＴ１を後送し、根切断部Ｆで根Ｔｃを切断する各工程を順次自動で行った後、葉Ｔｂと根Ｔｃを切除した玉ねぎＴ２を排出部Ｇから排出させるようになっている。
【０１０５】
ところで、本願実施例で使用する図９〜図１１の玉ねぎ類処理機Ｚでは、機体ケース１を前側ケース１Ａと後側ケース１Ｂに分割し、前側ケース１Ａ内に葉切除ユニット２を組付けた葉切除用ブロック体２Ａとしている一方、後側ケース１Ｂ内に根切除ユニット３を組付けた根切除用ブロック体３Ａとして、前側の葉切除用ブロック体２Ａの後面側部と後側の根切除用ブロック体３Ａの前面側部とをヒンジ部９で枢支して、葉切除用ブロック体２Ａに対して根切除用ブロック体３Ａを平面視において枢動開閉し得るように構成している。尚、葉切除用ブロック体２Ａの後面と根切除用ブロック体３Ａの前面における、上記ヒンジ部９と対向する側縁部分には、両ブロック体２Ａ，３Ａを開放不能にロックするためのロック手段１９（図１１に示すように、係止片１９ａとネジ受部１９ｂとボルト１９ｃとで構成）を設けている。
【０１０６】
本願実施例で使用する玉ねぎ類処理機Ｚの支持脚は、図９に示すように、前側ケース１Ａ側に３箇所（符号１０Ａもの）と後側ケース１Ｂに１箇所（符号１０Ｂのもの）設けられていて、図９及び図１０に示すように葉切除用ブロック体２Ａと根切除用ブロック体３Ａとを一列状態で結合した状態と、図１１に示すように葉切除用ブロック体２Ａに対して根切除用ブロック体３Ａを枢動開放させた状態の両形態でそれぞれ地上に自立させ得るようになっている。
【０１０７】
他方、図７〜図８の本願実施例において、機体載せ台Ｙは、ベースフレーム７１に玉ねぎ類処理機Ｚの葉切除用ブロック体２Ａ部分を載せる第１受フレーム７２Ａと玉ねぎ類処理機Ｚの根切除用ブロック体３Ａ部分を載せる第２受フレーム７２Ｂとを有しているとともに、上記第２受フレーム７２Ｂは、根切除用ブロック体３Ａを載せ得る支持位置（図７）と該根切除用ブロック体３Ａが水平面内で枢動するのに邪魔にならない退避位置（図８では取外し位置）との間で変位可能としている。
【０１０８】
この本願実施例では、上記第２受フレーム７２Ｂを上記使用位置と上記退避位置とに変位させるのに、該第２受フレーム７２Ｂをベースフレーム７１及びバンパー材７７に対してそれぞれボルト止めにて着脱自在に取付けている。そして、この本願実施例では、第２受フレーム７２Ｂを、図７に示すようにベースフレーム７１とバンパー材７７間に固定状態で架設した使用位置（根切除用ブロック体３Ａを支持し得る位置）と、図８に示すようにベースフレーム７１及びバンパー材７７から取外した退避位置（根切除用ブロック体３Ａを枢動開閉し得る位置）とに変位させ得るようになっている。尚、他の実施例では、上記第２受フレーム７２Ｂを退避位置に変位させるのに、第２受フレーム７２Ｂの基端部をベースフレーム７１にピンで枢支した状態で別の止めボルトで水平姿勢に維持させる一方、第２受フレーム７２Ｂの先端部をバンパー材７７から分離させ得るようにして、第２受フレーム７２Ｂの先端部からバンパー材７７を取外し、該第２受フレーム７２Ｂの基端側の止めボルトを取外すことにより、第２受フレーム７２Ｂをその基端部（枢支部）を中心に下降傾斜させるようにしたものでもよい。
【０１０９】
そして、この本願実施例の玉ねぎ類処理機搭載トラクタでは、図７に示すように機体載せ台Ｙの第１受フレーム７２Ａと第２受フレーム７２Ｂ上に玉ねぎ類処理機Ｚを載せた状態（４つの支持脚１０Ａ，１０Ａ，１０Ａ，１０Ｂ部分をそれぞれ機体載せ台Ｙにボルト固定（締結部Ｒ）した状態）から、葉切除用ブロック体２Ａ側の３つのボルト固定部（符号１０Ａの各支持脚部分の締結部Ｒ）を固定維持させた状態で根切除用ブロック体３Ａ側の１つのボルト固定部（符号１０Ｂの支持脚部分の締結部Ｒ）を外し、第２受フレーム７２Ｂとバンパー材７７とをそれぞれ取外す（図８の状態）ことによって、図８に符号３Ａ′で示すように根切除用ブロック体３Ａを葉切除ユニット２に対して平面視で枢動開放させ得るようにしている。尚、図８に示すように、根切除用ブロック体３Ａ′を枢動開放させた状態では、該根切除用ブロック体３Ａ′側の支持脚１０Ｂの下端（キャスター）を接地させておくと、該根切除用ブロック体３Ａ′の姿勢が安定する。
【０１１０】
このように、図７〜図８に示す本願実施例の玉ねぎ処理機搭載トラクタでは、玉ねぎ類処理機Ｚとして前側の葉切除用ブロック体２Ａに対して後側の根切除用ブロック体３Ａを枢動開閉させ得るものを採用しているので、葉切除用ブロック体２Ａに対して根切除用ブロック体３Ａを枢動開放させることで、玉ねぎ類処理機Ｚの中間位置にメンテナンス用の作業空間を設けることができる（メンテナンス作業が容易となる）。
【０１１１】
又、この本願実施例のものでは、玉ねぎ処理機搭載トラクタの使用形態のままで（玉ねぎ類処理機Ｚを機体載せ台Ｙ上に載せたままで）、前側の葉切除用ブロック体２Ａに対して後側の根切除用ブロック体３Ａを枢動開放させることができるので、玉ねぎ類処理機Ｚのメンテナンス時の準備作業（玉ねぎ類処理機Ｚの機体載せ台Ｙからの積み降ろしや機体載せ台Ｙ上への搭載作業）が不要となる。
【符号の説明】
【０１１２】
１は機体ケース、１Ａは前側ケース、１Ｂは後側ケース、２は葉切除ユニット、２Ａは葉切除用ブロック体、３は根切除ユニット、３Ｂは根切除用ブロック体、４は上下反転装置、６は連結装置、７２Ａは第１受フレーム、７２Ｂは第２受フレーム、７５は発電機、Ａは投入部、Ｂは葉・根付き玉ねぎの移送部、Ｃは葉切断部、Ｄは反転部、Ｅは葉除去・根付き玉ねぎの移送部、Ｆは根切断部、Ｇは排出部、Ｔは玉ねぎ、Ｔａは玉ねぎ本体、Ｔｂは葉、Ｔｂ′は切除葉、Ｔｃは根、Ｔｃ′は切除根、Ｘはトラクタ、Ｙは機体載せ台、Ｚは玉ねぎ類処理機である。
【図１】
0006602591.tif 000002
【図２】
0006602591.tif 000003
【図３】
0006602591.tif 000004
【図４】
0006602591.tif 000005
【図５】
0006602591.tif 000006
【図６】
0006602591.tif 000007
【図７】
0006602591.tif 000008
【図８】
0006602591.tif 000009
【図９】
0006602591.tif 000010
【図１０】
0006602591.tif 000011
【図１１】
0006602591.tif 000012